(57)【要約】【課題】額縁が狭小化してより拡大した表示画面上の領域の境界部を目立ちにくくする。【解決手段】前面基板に設けた前面板と、背面基板に設けた背面板とを備える有効表示領域と、有効表示領域の外側に形成される非表示領域と、を備えるプラズマディスプレイパネルであって、非表示領域は、蛍光体が塗布された非表示領域Ａと、非表示領域Ａより外側に形成され、かつ、蛍光体が塗布されない非表示領域Ｂとを有し、非表示領域Ａにおいて、第２電極は分断部を有して有効表示領域から延長され、非表示領域Ｂの所定の面積に占める第１電極および第２電極の面積は、有効表示領域における所定の面積に占める第１電極および第２電極の面積の６１％以上７７％以下であり、非表示領域Ｂにおける第１電極および第２電極の電極幅は、有効表示領域における第１電極および第２電極の電極幅の４０％以上７５％以下であることを特徴とする。【選択図】図５
2013152837.tif 000002
【特許請求の範囲】
【請求項１】
前面基板に導電性の第１電極および第２電極を間に放電ギャップを設けて配置して表示電極を構成するとともに表示電極を行方向に複数本配列して設けた前面板と、この前面板に放電空間を設けて対向配置されかつ表示電極と交差する列方向に複数本のデータ電極を下地層に覆われるように形成して交差部分に放電セルを設けた背面板とを備える有効表示領域と、
有効表示領域の外側に形成される非表示領域と、を備えるプラズマディスプレイパネルであって、
前記非表示領域は、蛍光体が塗布された非表示領域Ａと、前記非表示領域Ａより外側に形成され、かつ、前記蛍光体が塗布されない非表示領域Ｂとを有し、
前記非表示領域Ａにおいて、第２電極は分断部を有して前記有効表示領域から延長され、
前記非表示領域Ｂの所定の面積に占める第１電極および第２電極の面積は、有効表示領域における前記所定の面積に占める第１電極および第２電極の面積の６１％以上７７％以下であり、
非表示領域Ｂにおける第１電極および第２電極の電極幅は、有効表示領域における第１電極および第２電極の電極幅の４０％以上７５％以下であることを特徴とするプラズマディスプレイパネル。
【請求項２】
前記分断部は、１００μｍ以下９０μｍ以上であることを特徴とする請求項１に記載のプラズマディスプレイパネル。
【請求項３】
前記有効表示領域における前記第１電極の電極幅は前記非表示領域Ｂにおける前記第２電極の電極幅の４０％以上７５％以下であり、かつ、前記非表示領域Ｂにおける前記第１電極と前記第２電極とは等間隔に配列されていることを特徴とする請求項１に記載のプラズマディスプレイパネル。
【請求項４】
前記非表示領域Ｂにおける前記第２電極の本数は、前記有効表示領域に配列された第２電極の本数の１／２であることを特徴とする請求項１に記載のプラズマディスプレイパネル。
【発明の詳細な説明】
【技術分野】
【０００１】
本発明は、表示デバイスとしてのプラズマディスプレイパネルに関するものである。
【背景技術】
【０００２】
プラズマディスプレイパネル（以下、ＰＤＰと示す）は、大別して、駆動的にはＡＣ型とＤＣ型がある。放電形式では、面放電型と対向放電型の２種類があるが、高精細化、大画面化および製造の簡便性から、現状では、ＰＤＰの主流は、３電極構造の面放電型のものである。
【０００３】
この面放電型のＰＤＰ構造は、少なくとも前面側が透明な一対の基板を基板間に放電空間が形成されるように対向配置される。そして、放電空間を複数に仕切るための隔壁が基板に配置され、かつ隔壁により仕切られた放電空間で放電が発生するように基板に電極群が配置される。そして、放電により発光する赤色、緑色、青色に発光する蛍光体が形成されて複数の放電セルが構成されている。そして、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高い。これにより、フラットパネルディスプレイの中で最近特に注目を集めており、多くの人が集まる場所での表示装置や家庭で大画面の映像を楽しむための表示装置として各種の用途に使用されている。したがって、特に昨今の大画面化および高精細化の動向によって、ＰＤＰの画像表示品質などの性能も求められている。
【０００５】
例えば、表示領域と表示外領域との境界が画像に影響を与えないように目立たなくするために、引き延ばした電極の幅を変えて表示領域と非表示領域とに占める電極面積の比率を同程度に設定していることが開示されている（例えば、特許文献１参照）。
【先行技術文献】
【特許文献】
【０００６】
【特許文献１】特開２０１０−２７４８９号公報
【発明の概要】
【発明が解決しようとする課題】
【０００７】
近年、ＰＤＰでは表示画面を大きく見せるために、外枠部をより狭小にした狭額縁のＰＤＰが注目されている。
【０００８】
そこで、本発明は、外枠部に覆われない露出した表示画面において有効表示領域と非表示領域との境界部の差が目立たない表示品質に優れたＰＤＰを提供することを目的とする。
【課題を解決するための手段】
【０００９】
本発明は前面基板に導電性の第１電極および第２電極を間に放電ギャップを設けて配置して表示電極を構成するとともに表示電極を行方向に複数本配列して設けた前面板と、この前面板に放電空間を設けて対向配置されかつ表示電極と交差する列方向に複数本のデータ電極を下地層に覆われるように形成して交差部分に放電セルを設けた背面板と、を備え、放電セル内で放電が生起されることで映像が表示される有効表示領域と、有効表示領域の外側に形成される非表示領域と、を有するプラズマディスプレイパネルであり、非表示領域は、蛍光体が塗布された非表示領域Ａと、非表示領域Ａより外側に形成され、かつ、蛍光体が塗布されない非表示領域Ｂと、を有し、非表示領域Ａにおいて、第２電極は分断部を有して有効表示領域から延長され、非表示領域Ｂの所定の面積に占める第１電極および第２電極の面積は、有効表示領域における所定の面積に占める第１電極および第２電極の面積の６１％以上７７％以下であり、非表示領域Ｂにおける第２電極の電極幅は、有効表示領域における第２電極の電極幅の４０％以上７５％以下であることを特徴とする。
【発明の効果】
【００１０】
本発明によれば、外枠部が狭小化し、表示画面を拡大したＰＤＰにおいても表示品質を向上させることが可能である。
【図面の簡単な説明】
【００１１】
【図１】本発明の実施の形態によるＰＤＰを示す分解斜視図
【図２】本発明の実施の形態によるＰＤＰの電極配列図
【図３】本発明の実施の形態１によるＰＤＰ装置を示すブロック図
【図４】本発明の実施の形態１によるＰＤＰの駆動波形を示す平面図
【図５】本発明の実施の形態１によるＰＤＰの表示電極を構成する走査電極および維持電極と隔壁との配置関係を示す平面図
【図６】本発明の実施の形態１によるＰＤＰの表示領域から非表示領域を示す断面図
【図７】本発明の実施の形態１によるＰＤＰの表示領域から非表示領域を示す平面図
【発明を実施するための形態】
【００１２】
＜実施の形態１＞
以下、本発明の実施の形態１によるＰＤＰについて、図１〜図６を用いて説明する。しかし、本発明の実施の態様は実施の形態１に限定されるものではない。
【００１３】
まず、本発明の実施の形態１によるＰＤＰの全体構成について、図１〜図４を用いて説明する。
【００１４】
１、ＰＤＰの構成
図１は本発明の実施の形態１によるＰＤＰにおいて、前面板と背面板とを分離した状態で示す分解斜視図である。この図１に示すように、ＰＤＰは、ガラス製の前面板１と背面板２とを、その間に放電空間３を形成するように対向配置することにより構成されている。
【００１５】
前面板１は、ガラス製の前面基板４上に導電性の第１電極である走査電極５および第２電極である維持電極６を、間に放電ギャップＭＧを設けて互いに平行に配置して表示電極７を構成するとともに、その表示電極７を行方向に複数本配列して設け、そして走査電極５および維持電極６を覆うようにガラス材料からなる誘電体層８が形成され、その誘電体層８上にはＭｇＯからなる保護膜９が形成されている。
【００１６】
走査電極５および維持電極６は、それぞれＩＴＯなどの透明電極５ａ、６ａと、この透明電極５ａ、６ａをそれぞれに電気的に接続されるように形成されたＡｇなどの導電性金属からなる膜厚が数μｍ程度のバス電極５ｂ、６ｂとから構成されている。
【００１７】
また、背面板２は、ガラス製の背面基板１０上に、ガラス材料からなる絶縁体層１１で覆われかつ列方向にストライプ状に配列したＡｇからなる複数本のデータ電極１２が設けられ、そして絶縁体層１１上には、前面板１と背面板２との間の放電空間３を放電セル毎に区画するためのガラス材料からなる井桁状の隔壁１３が設けられている。また、絶縁体層１１の表面および隔壁１３の側面には、赤色（Ｒ）、緑色（Ｇ）、青色（Ｂ）の蛍光体層１４Ｒ、１４Ｇ、１４Ｂが設けられている。そして、走査電極５および維持電極６とデータ電極１２とが交差するように前面板１と背面板２とが対向配置され、前記走査電極５および維持電極６とデータ電極１２が交差する交差部分には、図２に示すように、放電セル１５が設けられている。また、放電空間３には、放電ガスとして、例えばネオンとキセノンの混合ガスが封入されている。なお、ＰＤＰの構造は上述したものに限られるわけではなく、例えばストライプ状の隔壁を備えたものであってもよい。
【００１８】
ここで、図２に示すように、放電セル１５を形成する井桁形状の隔壁１３は、データ電極１２に平行に形成された縦隔壁１３と、この縦隔壁１３に直交するように形成した横隔壁１３とから構成されている。また、この隔壁１３内に塗布して形成される蛍光体層１４Ｒ、１４Ｇ、１４Ｂは、縦隔壁１３に沿ってストライプ状に青色蛍光体層１４Ｂ、赤色蛍光体層１４Ｒ、緑色蛍光体層１４Ｇの順に配列して形成されている。
【００１９】
図２はこの図１に示すＰＤＰの電極配列図である。行方向に長いｎ本の走査電極Ｘ１、Ｘ２、Ｘ３・・・Ｘｎ（図１の５）およびｎ本の維持電極Ｙ１、Ｙ２、Ｙ３・・・Ｙｎ（図１の６）が配列され、列方向に長いｍ本のデータ電極Ａ１・・・Ａｍ（図１の１２）が配列されている。そして、１対の走査電極Ｘ１および維持電極Ｙ１と１つのデータ電極Ａ１とが交差した部分に放電セル１５が形成され、放電セル１５は放電空間内にｍ×ｎ個形成されている。また、走査電極Ｘ１および維持電極Ｙ１は、図２に示すように、維持電極Ｙ１−走査電極Ｘ１−走査電極Ｘ２−維持電極Ｙ２・・・・の配列で繰り返すパターンで、前面板１に形成されている。そしてこれらの電極のそれぞれは、前面板１、背面板２の画像表示領域外の周辺端部に設けられた接続端子それぞれに接続されている。
【００２０】
２、プラズマディスプレイ装置の構成
次に、上述したＰＤＰを用いたプラズマディスプレイ装置（以下、ＰＤＰ装置と示す）の全体構成について説明する。
【００２１】
図３はプラズマディスプレイ装置の全体構成を示すブロック図である。このＰＤＰ装置は、ＰＤＰの表示画面を見る側から見た図である。図３に示すように、ＰＤＰ２１、画像信号処理回路２２、データ電極駆動回路２３、維持電極駆動回路２４、走査電極駆動回路２５、タイミング発生回路２６および電源回路（図示せず）を備えている。また、データ電極駆動回路２３は、ＰＤＰ２１のデータ電極１２の一端に接続され、かつデータ電極１２に電圧を供給するための半導体素子からなる複数のデータドライバを有している。データ電極１２は、数本ずつのデータ電極１２で１ブロックとして複数のブロックに分割し、そのブロック単位で複数のデータドライバをＰＤＰ２１の下端部の電極引出部に接続して配置している。
【００２２】
図３において、画像信号処理回路２２は、画像信号ｓｉｇをサブフィールド毎の画像データに変換する。データ電極駆動回路２３はサブフィールド毎の画像データを各データ電極Ａ１〜Ａｍに対応する信号に変換し、各データ電極Ａ１〜Ａｍを駆動する。タイミング発生回路２６は水平同期信号Ｈおよび垂直同期信号Ｖをもとにして各種のタイミング信号を発生し、各駆動回路ブロックに供給している。維持電極駆動回路２４はタイミング信号にもとづいて走査電極Ｘ１〜Ｘｎに駆動電圧波形を供給し、走査電極駆動回路２５はタイミング信号にもとづいて維持電極Ｙ１〜Ｙｎに駆動電圧波形を供給する。なお、維持電極側は、ＰＤＰ２１内、またはＰＤＰ２１外において共通に接続された後、その共通接続配線が走査電極駆動回路２５に接続されている。
【００２３】
３、ＰＤＰの駆動について
次に、ＰＤＰ２１を駆動するための駆動電圧波形とその動作について図４を用いて説明する。図４はＰＤＰ２１の各電極に印加する駆動電圧波形を示す図である。
【００２４】
本実施の形態によるＰＤＰ２１においては、１フィールドを複数のサブフィールドに分割し、それぞれのサブフィールドは初期化期間、書込み期間、維持期間を有している。
【００２５】
３−１、初期化期間
第１サブフィールドの初期化期間では、データ電極Ａ１〜Ａｍおよび維持電極Ｙ１〜Ｙｎを０（Ｖ）に保持し、走査電極Ｘ１〜Ｘｎに対して放電開始電圧以下となる電圧Ｖｉ１（Ｖ）から放電開始電圧を超える電圧Ｖｉ２（Ｖ）に向かって緩やかに上昇するランプ電圧を印加する。すると、すべての放電セルにおいて１回目の微弱な初期化放電を起こし、走査電極Ｘ１〜Ｘｎ上に負の壁電圧が蓄えられるとともに維持電極Ｙ１〜Ｙｎ上およびデータ電極Ａ１〜Ａｍ上に正の壁電圧が蓄えられる。ここで、電極上の壁電圧とは電極を覆う誘電体層や蛍光体層上等に蓄積した壁電荷により生じる電圧を指す。
【００２６】
その後、維持電極Ｙ１〜Ｙｎを正の電圧Ｖｈ（Ｖ）に保ち、走査電極Ｘ１〜Ｘｎに電圧Ｖｉ３（Ｖ）から電圧Ｖｉ４（Ｖ）に向かって緩やかに下降するランプ電圧を印加する。すると、すべての放電セルにおいて２回目の微弱な初期化放電を起こし、走査電極Ｘ１〜Ｘｎ上と維持電極Ｙ１〜Ｙｎ上との間の壁電圧が弱められ、データ電極Ａ１〜Ａｍ上の壁電圧も書込み動作に適した値に調整される。
【００２７】
３−２、書込み期間
続く書込み期間では、走査電極Ｘ１〜Ｘｎを一旦Ｖｒ（Ｖ）に保持する。次に、１行目の走査電極Ｘ１に負の走査パルス電圧Ｖａ（Ｖ）を印加するとともに、データ電極Ａ１〜Ａｍのうち１行目に表示すべき放電セルのデータ電極Ａｋ（ｋ＝１〜ｍ）に正の書込みパルス電圧Ｖｄ（Ｖ）を印加する。このときデータ電極Ａｋと走査電極Ｘ１との交差部の電圧は、外部印加電圧（Ｖｄ−Ｖａ）（Ｖ）にデータ電極Ａｋ上の壁電圧と走査電極Ｘ１上の壁電圧とが加算されたものとなり、放電開始電圧を超える。そして、データ電極Ａｋと走査電極Ｘ１との間および維持電極Ｙ１と走査電極Ｘ１との間に書込み放電が起こり、この放電セルの走査電極Ｘ１上に正の壁電圧が蓄積され、維持電極Ｙ１上に負の壁電圧が蓄積され、データ電極Ａｋ上にも負の壁電圧が蓄積される。
【００２８】
このようにして、１行目に表示すべき放電セルで書込み放電を起こして各電極上に壁電圧を蓄積する書込み動作が行われる。一方、書込みパルス電圧Ｖｄ（Ｖ）を印加しなかったデータ電極Ａ１〜Ａｍと走査電極Ｘ１との交差部の電圧は放電開始電圧を超えないので、書込み放電は発生しない。以上の書込み動作をｎ行目の放電セルに至るまで順次行い、書込み期間が終了する。
【００２９】
３−３、維持期間
続く維持期間では、走査電極Ｘ１〜Ｘｎには第１の電圧として正の維持パルス電圧Ｖｓ（Ｖ）を、維持電極Ｙ１〜Ｙｎには第２の電圧として接地電位、すなわち０（Ｖ）をそれぞれ印加する。このとき書込み放電を起こした放電セルにおいては、走査電極Ｘｉ（ｉ＝１〜ｎ）上と維持電極Ｙｉ（ｉ＝１〜ｎ）上との間の電圧は維持パルス電圧Ｖｓ（Ｖ）に走査電極Ｘｉ上の壁電圧と維持電極Ｙｉ上の壁電圧とが加算されたものとなり、放電開始電圧を超える。そして、走査電極Ｘｉと維持電極Ｙｉとの間に維持放電が起こり、このとき発生した紫外線により蛍光体層が発光する。そして走査電極Ｘｉ上に負の壁電圧が蓄積され、維持電極Ｙｉ上に正の壁電圧が蓄積される。このときデータ電極Ａｋ上にも正の壁電圧が蓄積される。
【００３０】
書込み期間において書込み放電が起きなかった放電セルでは、維持放電は発生せず、初期化期間の終了時における壁電圧が保持される。続いて、走査電極Ｘ１〜Ｘｎには第２の電圧である０（Ｖ）を、維持電極Ｙ１〜Ｙｎには第１の電圧である維持パルス電圧Ｖｓ（Ｖ）をそれぞれ印加する。すると、維持放電を起こした放電セルでは、維持電極Ｙｉ上と走査電極Ｘｉ上との間の電圧が放電開始電圧を超えるので、再び維持電極Ｙｉと走査電極Ｘｉとの間に維持放電が起こり、維持電極Ｙｉ上に負の壁電圧が蓄積され走査電極Ｘｉ上に正の壁電圧が蓄積される。
【００３１】
３−４、第２サブフィールド以降
以降同様に、走査電極Ｘ１〜Ｘｎと維持電極Ｙ１〜Ｙｎとに交互に輝度重みに応じた数の維持パルスを印加することにより、書込み期間において書込み放電を起こした放電セルで維持放電が継続して行われる。こうして維持期間における維持動作が終了する。続くサブフィールドにおける初期化期間、書込み期間、維持期間の動作も第１サブフィールドにおける動作とほぼ同様のため、説明を省略する。
【００３２】
４、ＰＤＰの製造方法
４−１、前面板の製造方法
フォトリソグラフィ法によって、前面基板４上に、走査電極５および維持電極６が形成される。走査電極５は、インジウム錫酸化物（ＩＴＯ）などの透明電極５ａと、透明電極５ａに積層された銀（Ａｇ）などからなるバス電極５ｂとから構成されている。維持電極６は、ＩＴＯなどの透明電極６ａと、透明電極６ａに積層されたＡｇなどからなるバス電極６ｂとから構成されている。
【００３３】
バス電極５ｂ、６ｂの材料には、銀（Ａｇ）と銀を結着させるためのガラスフリットと感光性樹脂と溶剤などを含む電極ペーストが用いられる。まず、スクリーン印刷法などによって、電極ペーストが、透明電極５ａ、６ａが形成された前面基板４に塗布される。次に、乾燥炉によって、電極ペースト中の溶剤が除去される。次に、所定のパターンのフォトマスクを介して、電極ペーストが露光される。
【００３４】
次に、電極ペーストが現像され、バス電極パターンが形成される。最後に、焼成炉によって、バス電極パターンが所定の温度で焼成される。つまり、電極パターン中の感光性樹脂が除去される。また、電極パターン中のガラスフリットが溶融する。その後、室温まで冷却することにより、溶融していたガラスフリットが、ガラス化する。以上の工程によって、バス電極５ｂ、６ｂが形成される。
【００３５】
ここで、電極ペーストをスクリーン印刷する方法以外にも、スパッタ法、蒸着法などを用いることができる。
【００３６】
次に、誘電体層８が形成される。誘電体層８の材料には、誘電体ガラスフリットと樹脂と溶剤などを含む誘電体ペーストが用いられる。まずダイコート法などによって、誘電体ペーストが所定の厚みで走査電極５、維持電極６を覆うように前面基板４上に塗布される。次に、乾燥炉によって、誘電体ペースト中の溶剤が除去される。最後に、焼成炉によって、誘電体ペーストが所定の温度で焼成される。つまり、誘電体ペースト中の樹脂が除去される。また、誘電体ガラスフリットが溶融する。その後、室温まで冷却することにより、溶融していた誘電体ガラスフリットが、ガラス化する。以上の工程によって、誘電体層８が形成される。ここで、誘電体ペーストをダイコートする方法以外にも、スクリーン印刷法、スピンコート法などを用いることができる。また、誘電体ペーストを用いずに、ＣＶＤ（Ｃｈｅｍｉｃａｌ  Ｖａｐｏｒ  Ｄｅｐｏｓｉｔｉｏｎ）法などによって、誘電体層８となる膜を形成することもできる。
【００３７】
次に、誘電体層８上に保護層９が形成される。
【００３８】
以上の工程により前面基板４上に走査電極５、維持電極６、誘電体層８および保護膜９を有する前面板１が完成する。
【００３９】
４−２、背面板２の製造方法
フォトリソグラフィ法によって、背面基板１０上に、データ電極１２が形成される。データ電極１２の材料には、導電性を確保するための銀（Ａｇ）と銀を結着させるためのガラスフリットと感光性樹脂と溶剤などを含むデータ電極ペーストが用いられる。まず、スクリーン印刷法などによって、データ電極ペーストが所定の厚みで背面基板１０上に塗布される。次に、乾燥炉によって、データ電極ペースト中の溶剤が除去される。次に、所定のパターンのフォトマスクを介して、データ電極ペーストが露光される。次に、データ電極ペーストが現像され、データ電極パターンが形成される。最後に、焼成炉によって、データ電極パターンが所定の温度で焼成される。つまり、データ電極パターン中の感光性樹脂が除去される。また、データ電極パターン中のガラスフリットが溶融する。その後、室温まで冷却することにより、溶融していたガラスフリットが、ガラス化する。以上の工程によって、データ電極１２が形成される。ここで、データ電極ペーストをスクリーン印刷する方法以外にも、スパッタ法、蒸着法などを用いることができる。
【００４０】
次に、絶縁体層１１が形成される。絶縁体層１１の材料には、絶縁体ガラスフリットと樹脂と溶剤などを含む絶縁体ペーストが用いられる。まず、スクリーン印刷法などによって、絶縁体ペーストが所定の厚みでデータ電極１２が形成された背面基板１０上にデータ電極１２を覆うように塗布される。次に、乾燥炉によって、絶縁体ペースト中の溶剤が除去される。最後に、焼成炉によって、絶縁体ペーストが所定の温度で焼成される。つまり、絶縁体ペースト中の樹脂が除去される。また、絶縁体ガラスフリットが溶融する。その後、室温まで冷却することにより、溶融していた絶縁体ガラスフリットが、ガラス化する。以上の工程によって、絶縁体層１１が形成される。ここで、絶縁体ペーストをスクリーン印刷する方法以外にも、ダイコート法、スピンコート法などを用いることができる。また、絶縁体ペーストを用いずに、ＣＶＤ（Ｃｈｅｍｉｃａｌ  Ｖａｐｏｒ  Ｄｅｐｏｓｉｔｉｏｎ）法などによって、絶縁体層１１となる膜を形成することもできる。
【００４１】
次に、フォトリソグラフィ法によって、隔壁１３が形成される。隔壁１３の材料には、フィラーと、フィラーを結着させるためのガラスフリットと、感光性樹脂と、溶剤などを含む隔壁ペーストが用いられる。まず、ダイコート法などによって、隔壁ペーストが所定の厚みで絶縁体層１１上に塗布される。次に、乾燥炉によって、隔壁ペースト中の溶剤が除去される。次に、所定のパターンのフォトマスクを介して、隔壁ペーストが露光される。次に、隔壁ペーストが現像され、隔壁パターンが形成される。最後に、焼成炉によって、隔壁パターンが所定の温度で焼成される。つまり、隔壁パターン中の感光性樹脂が除去される。また、隔壁パターン中のガラスフリットが溶融する。その後、室温まで冷却することにより、溶融していたガラスフリットが、ガラス化する。以上の工程によって、隔壁１３が形成される。ここで、フォトリソグラフィ法以外にも、サンドブラスト法などを用いることができる。
【００４２】
次に、蛍光体層１４が形成される。蛍光体層１４の材料には、蛍光体粒子とバインダと溶剤などとを含む蛍光体ペーストが用いられる。まず、ディスペンス法などによって、蛍光体ペーストが所定の厚みで隣接する複数の隔壁１３間の絶縁体層１１上および隔壁１３の側面に塗布される。次に、乾燥炉によって、蛍光体ペースト中の溶剤が除去される。最後に、焼成炉によって、蛍光体ペーストが所定の温度で焼成される。つまり、蛍光体ペースト中の樹脂が除去される。以上の工程によって、蛍光体層１４が形成される。ここで、ディスペンス法以外にも、スクリーン印刷法などを用いることができる。
【００４３】
以上の工程により、背面基板１０上に、データ電極１２、絶縁体層１１、隔壁１３および蛍光体層１４を有する背面板２が完成する。
【００４４】
４−３、前面板１と背面板２との組立方法
まず、ディスペンス法などによって、背面板２の周囲に封着ペーストが塗布される。封着ペーストは、ビーズと低融点ガラス材料とバインダと溶剤などを含んでいてもよい。塗布された封着ペーストは、封着ペースト層（図示せず）を形成する。次に乾燥炉によって、封着ペースト層中の溶剤が除去される。その後、封着ペースト層は、約３５０℃の温度で仮焼成される。仮焼成によって、封着ペースト層中の樹脂成分などが除去される。次に、表示電極７とデータ電極１２とが直交するように、前面板１と背面板２とが対向配置される。
【００４５】
さらに、前面板１と背面板２の周縁部が、クリップなどにより押圧した状態で保持される。この状態で、所定の温度で焼成することにより、低融点ガラス材料が溶融する。その後、室温まで冷却することにより、溶融していた低融点ガラス材料がガラス化する。これにより、前面板１と背面板２とが気密封着される。最後に、放電空間にＮｅ、Ｘｅなどを含む放電ガスが封入されることによりＰＤＰ２１が完成する。
【００４６】
５、表示電極について
５−１、透明電極の微細構造について
次に、本発明のＰＤＰ２１の表示領域における表示電極７の構成について、説明する。
【００４７】
図５は、表示電極７を構成する走査電極５および維持電極６について説明するために詳細に示した図である。また、図５は、前面基板上から透明電極５ａ、６ａとバス電極５ｂ、６ｂを見たときの図である。
【００４８】
図５に示すように、表示電極７は走査電極５および維持電極６で構成され、走査電極５および維持電極６は、それぞれ透明電極５ａ、６ａと透明電極５ａ、６ａに電気的に接続するように形成した導電性のバス電極５ｂ、６ｂとにより構成される。
【００４９】
そして、ストライプ状に形成した透明電極５ａとそれぞれ放電セル１５毎に短冊状に複数に分割して形成された第１の透明電極１７とが一体となった形状で構成されている。さらに、第１の透明電極１７は隔壁１３で囲まれた放電空間セル内において複数に分割され、放電ギャップ側に突出した形状となっている。
【００５０】
また、同様に、ストライプ状に形成した透明電極６ａとそれぞれ放電セル１５毎に短冊状に複数に分割して形成された第２の透明電極１６とが一体となった形状で構成されている。さらに、第２の透明電極１６は隔壁１３で囲まれた放電空間セル内において複数に分割され、放電ギャップ側に突出した形状となっている。
【００５１】
そして、放電セル１５において走査電極５の短冊状の第１の透明電極１７の先端部と維持電極６の短冊状の第２の透明電極１６の先端部との間に放電ギャップＭＧが形成される。
【００５２】
以上、短冊状の形状を有する透明電極構造について説明したが本発明はこの構造に限られない。つまり、短冊状を有さずストライプ形状のみを有する透明電極構造であってもよい。
【００５３】
６、有効表示領域と非表示領域での電極の構造の説明
次に本発明における有効表示領域と非表示領域での電極の構造について説明する。なお、以下に説明する内容は、本発明の１の実施の形態であって、１の実施の形態に限らない。
【００５４】
ＰＤＰ２１は、表示画面上に実際画像を表示する有効表示領域と有効表示領域の外周より外側に形成される非表示領域とを有する。非表示領域とは、表示画面上に画像が表示されない領域である。つまり、放電セル１５内の放電によって画像点灯されない領域である。
【００５５】
そして、非表示領域３１には隔壁１３で囲まれた放電セル１５が有効表示領域側に数個形成される。より詳細に図６を用いて説明する。図６は、ＰＤＰの表示画面を見た走査電極端子（図示せず）側における表示領域３０と非表示領域３１との境界近傍の断面図を示した図である。この断面図はＰＤＰ２１の長辺方向と平行に切断された断面図である。図６に示すように、背面基板１０に、非表示領域３１における画像表示に寄与しない放電セル１５が５セル分設けられており、この領域を領域１９としている。また、領域１９の内有効表示領域３０に最も近い３セル分に蛍光体層が形成されており、この領域を領域２０とする。領域２０の内、有効素子領域３０に最も近いセル１８にのみデータ電極１２が形成されている。このデータ電極１２の配置は非表示領域３１における誤った放電が発生することを防ぐためである。さらに、背面基板１０上に形成される絶縁体層１１は隔壁１３が形成される範囲より外側にまで形成されている。そして、隔壁１３も蛍光体層１４も形成されていない非表示領域３１を領域２１としている。
【００５６】
また、前面基板４に形成される透明電極５ａ、６ａは誤放電抑制のため、有効表示領域３０に最も近いセル１８に対応する箇所で終端している。一方、走査電極５、維持電極６のバス電極５ｂ、６ｂはＰＤＰ２１の右側端部に形成される走査電圧印加端子（図示せず）へ接続される。維持電極６の透明電極６ａは少なくとも蛍光体層１４が形成される放電セル１５までは延長されているが、有効表示領域３０に最も近いセル１８内に分断部を有する。本実施の形態においてこの分断部の距離は、１００μｍ程度とした。これにより、非表示領域３１における維持電極６と走査電極５との間に誤った放電が発生することを防ぐことができる。
【００５７】
なお、分断部の距離は９０μｍ以上１２０μｍ以下であればよい。そして、隣接する２本の維持電極６のバス電極６ｂは、合流して１本のバス電極６ｂとなっている。そして、この１本のバス電極６ｂはＰＤＰ２１の非表示領域の外側に終端部を有する。
【００５８】
ここで、ＰＤＰ２１を表示画面を見る側から視認する際、背面基板１０に形成される絶縁体層１１や蛍光体層１４、隔壁１３などの構造物の有無から、領域によっては他の領域と外光の反射率が異なる。その結果、領域ごとの見た目の明るさが異なってしまい、領域間の境界線が明確に視認されてしまう。
【００５９】
ここで、図６に示すように、本実施の形態では非表示領域のうち絶縁体層１１および隔壁１３が形成される領域を領域１９とし、隔壁１３および蛍光体層１４が形成されない領域を領域２１とする。さらに、領域１９のうち蛍光体１４も塗布されている領域を領域２０とする。この領域に分類した場合、例えば、領域２１内の背面基板１０上に形成される蛍光体層１４の有無により顕著に明るさの差が認識される。具体的に説明すると、図６に示すように、背面基板１０に絶縁体層１１のみが存在する非表示領域３１内の領域２１と有効表示領域３０との明るさの差が大きい。それは、有効表示領域３０には、背面基板１０に絶縁体層１１や蛍光体層１４、隔壁１３などが形成されているが、領域２１は、背面基板１０に蛍光体層１４や隔壁１３などが形成されていないからである。その結果、非表示領域３１内の領域２１は、有効表示領域３０と比較して反射率がより小さい。
【００６０】
また、同様に非表示領域３１内の領域２０と非表示領域３１内の領域２１と比較しても、領域２０に蛍光体層１４や隔壁１３が形成されているが、領域２１は背面基板１０に蛍光体層１４や隔壁１３などが形成されていない。その結果、非表示領域３１内の領域２１は、領域２０と比較して反射率がより小さい。
【００６１】
そこで、本発明の実施の形態１では、各領域間における境界線を目立ちにくくし、明るさの差を解消することを目的としている。具体的には、前面基板に導電性の第１電極および第２電極を間に放電ギャップを設けて配置して表示電極を構成するとともに表示電極を行方向に複数本配列して設けた前面板と、この前面板に放電空間を設けて対向配置されかつ表示電極と交差する列方向に複数本のデータ電極を下地層に覆われるように形成して交差部分に放電セルを設けた背面板と、を備え、放電セル内で放電が生起されることで映像が表示される有効表示領域と、有効表示領域の外側に形成される非表示領域と、を有するプラズマディスプレイパネルであり、非表示領域は、蛍光体が塗布された非表示領域Ａと、非表示領域Ａより外側に形成され、かつ、蛍光体が塗布されない非表示領域Ｂと、を有し、非表示領域Ａにおいて、第２電極は分断部を有して有効表示領域から延長され、非表示領域Ｂの所定の面積に占める第１電極および第２電極の面積は、有効表示領域における所定の面積に占める第１電極および第２電極の面積の６１％以上７７％以下であり、非表示領域Ｂにおける第２電極の電極幅は、有効表示領域における第２電極の電極幅の４０％以上７５％以下であることを特徴とする。
【００６２】
具体的なバス電極５ｂ、６ｂの構成については、図７に示している。非表示領域３１の領域２０において、有効表示領域３０と同様にバス電極５ｂ、６ｂが形成されている。一方、バス電極６ｂは有効表示領域３０に最も近い非表示領域３１のセル１８に対応するところで分断部を有しており、分断部を介して、バス電極６ｂは非表示領域３１の外側まで延長されている。この分断部からＰＤＰ２１の外側に延長されるバス電極６ｂは、有効表示領域３０におけるバス電極６ｂと導通していない。つまり、フロート電極である。このフロート電極は、有効表示領域３０におけるバス電極６ｂを形成する組成等と何ら変わりない。
【００６３】
本発明では、図７に示すように、非表示領域３１の領域２１におけるバス電極６ｂの電極幅は、有効表示領域３０におけるバス電極６ｂの電極幅の４０％以上７５％以下である。
【００６４】
つまり、非表示領域３１の領域２１におけるバス電極６ｂの電極幅は、有効表示領域３０におけるバス電極６ｂの電極幅より小さい。一方、非表示領域３１の領域２１におけるバス電極５ｂの電極幅は、有効表示領域３０におけるバス電極５ｂの電極幅と同等である。
【００６５】
さらに、有効表示領域３０における所定の面積に占めるバス電極５ｂ、６ｂの面積は非表示領域３１の領域２１におけるバス電極５ｂ、６ｂの面積の６１％以上７７％以下である。
【００６６】
つまり、有効表示領域３０における所定の面積に占めるバス電極５ｂ、６ｂの面積は非表示領域３１の領域２１におけるバス電極５ｂ、６ｂの面積より小さい。
【００６７】
これにより、有効表示領域３０と比較して反射率がより小さい領域２１において、ＰＤＰ２１の表示画面を見た際に、有効表示領域３０と領域２１とで明るさの差がより小さくなり、有効表示領域３０と非表示領域３１における境界が見えにくくなる。その結果、表示品質のよりすぐれたプラズマディスプレイパネルを提供することができる。
【００６８】
７、測定結果
実際に、試作した各々のＰＤＰ２１についてバス電極６ｂの電極幅と有効表示領域３０と非表示領域３１との所定面積における電極の占める面積を調整し、明るさの判定を行った。この測定結果を下の表１に示す。測定項目と評価について説明する。各ＰＤＰ２１において、有効表示領域３０におけるバス電極６ｂの電極幅（μｍ）、非表示領域３１におけるバス電極６ｂの電極幅（μｍ）を測定し、有効表示領域３０におけるバス電極６ｂの電極幅に対する非表示領域３１におけるバス電極６ｂの電極幅の比を電極幅の比として求めた。また、電極面積は、有効表示領域３０における所定面積に占めるバス電極５ｂ、６ｂの合計面積１と、非表示領域３１における所定面積に占めるバス電極５ｂ、６ｂの合計面積２とを求め、有効表示領域３０における合計面積１に対する非表示領域３１における合計面積２の比として電極面積比を求めた。明るさ比率（％）は、有効表示領域および非表示領域の各々において直径５ｍｍの円領域をとり、各円領域の明度（Ｌ＊）を測定する。明度（Ｌ＊）は、ＪＩＳ  Ｚ  ８７２９に規定されているＬ＊ａ＊ｂ表色系における明度である。明度（Ｌ＊）を測定するのに、本実施の形態では、コニカミノルタの分光測色計ＣＭ−２６００ｄを用いた。そして、有効表示領域３０における明度に対する領域２１における明るさの比率（％）を求めた。
【００６９】
判定は、明るさの比率（％）が９０％以下の場合を判定×とし、９０％以上１００％以下を判定○とし、１００％以上を判定◎とした。
【００７０】
【表１】
2013152837.tif 000003
【００７１】
表１に示すように、比較パネル１において、有効表示領域３０と領域２１のバス電極６ｂの電極幅がともに６５μｍで同じであり、かつ、電極の合計面積の比が同じである場合、領域２１の明るさは有効表示領域３０に対して８８．１％であった。この場合、有効表示領域３０と領域２１との明るさの差が顕著に視認され、有効表示領域３０と領域２１との境界がはっきり認識される。また、比較パネル２においても、有効表示領域３０と領域２１のバス電極６ｂの電極幅差が１０μｍであり、かつ、電極の合計面積の比が０．９２であった。この場合、領域２１の明るさは有効表示領域３０に対して８９．１％であった。その結果、有効表示領域３０と領域２１との明るさの差が顕著に視認され、有効表示領域３０と領域２１との境界がはっきり認識される。
【００７２】
一方、パネル３〜パネル９では有効表示領域３０に対する非表示領域の領域２１との電極比率が、それぞれ、０．６２、０．５０、０．４４、０．６３、０．７４、０．６９、０．７１であった。そして、有効表示領域３０に対する領域２１の半径５ｍｍの円領域に占めるバス電極５ｂ、６ｂの合計面積比は、それぞれ、０．６５、０．６３、０．６１、０．６８、０．６９、０．７５、０．７５であった。この場合、パネル３〜パネル９の明るさ比率（％）は、いずれも９５％を超えた。その結果、有効表示領域３０と領域２１との明るさの差がより小さくなり、有効表示領域３０と領域２１との境界がよりわかりにくくなった。特に、パネル６、パネル７については明るさ比率が有効表示領域３０と領域２１とで１％未満の差であることから、有効表示領域３０と非表示領域３１との境界がわからないほどの表示品質が向上していることがわかる。
【００７３】
＜他の実施の形態＞
上記実施の形態１について説明した。しかし、実施の形態１の構成に限られることはない。以下、他の実施の形態について説明する。
【００７４】
実施の形態１では、短冊状の透明電極構造を有する電極構造としている。しかし、電極構造については他の構造を採用しても構わない。例えば、短冊状の構造を有しないストライプ状の透明電極を有した電極構造やそもそも透明電極を有しないはしご型形状のバス電極でもよい。
【００７５】
走査電極５および維持電極６が第１部分と、第１部分と平行な第２部分と、第１部分と第２部分とを接続する第２部分を備える構造であるはしご型形状のバス電極５ｂ、６ｂを有する場合、非表示領域３１内の領域２１において、走査電極５および維持電極６の電極幅は有効表示領域３０より小さく、第３部分の本数は有効表示領域より少ない。蛍光体層が形成されない非表示領域Ｂでは反射率が低くなるので、非表示領域における所定の面積を占める維持電極６の面積は、有効表示領域における所定の面積を占める維持電極６の面積よりも小さい。これにより、有効表示領域と非表示領域の反射率を同等（５％以内）とすることができ、表示画面に違和感が生じる問題を解決できる。
【００７６】
さらに、走査電極間および維持電極間に黒色の遮光層が形成されていてもよい。黒色の遮光層が形成されている場合は、非表示領域において遮光層の終端部が設けられる。
【００７７】
そして、実施の形態１では、走査電極５の端子があるＰＤＰ２１の右手方向の有効表示領域３０と非表示領域３１に関して述べているが、維持電極６の端子があるＰＤＰ２１の左手方向の有効表示領域３０と非表示領域３１に関しても、走査電極５と維持電極６の相関関係が変化するだけで、同等の構造である。具体的に説明すると、維持電極６の端子があるＰＤＰ２１の左手方向の領域２０では、分断部を有する有効表示領域３０から延長された走査電極５を有する。つまり、領域２１において、有効表示領域３０の走査電極５と導通していないフローティング電極としての走査電極５が形成される。
【００７８】
実施の形態１と同等の構造とすることにより、維持電極６の端子があるＰＤＰ２１の左手方向の非表示領域３１でも走査電極５とフローティング電極としての走査電極５との境界が曖昧になり、表示画面に違和感が生じる問題を解決できる。
【００７９】
８、実施の形態のまとめ
上記実施形態において特徴的な部分を以下に列記する。なお、上記実施形態に含まれる発明は、以下に限定されるものではない。なお、各構成の後ろに括弧で記載したものは、各構成の具体例である。各構成はこれらの具体例に限定されるものではない。
（１）
本発明のＰＤＰは、前面基板に導電性の第１電極および第２電極を間に放電ギャップを設けて配置して表示電極を構成するとともに表示電極を行方向に複数本配列して設けた前面板と、この前面板に放電空間を設けて対向配置されかつ表示電極と交差する列方向に複数本のデータ電極を下地層に覆われるように形成して交差部分に放電セルを設けた背面板と、を備える。このＰＤＰは、放電セル内で放電が生起されることで映像が表示される有効表示領域（３０）と、有効表示領域（３０）の外側に形成される非表示領域（３１）と、を有するプラズマディスプレイパネル（ＰＤＰ２１）であり、非表示領域（３１）は、蛍光体（１４）が塗布された非表示領域Ａ（領域２０）と、非表示領域Ａ（領域２０）より外側に形成され、かつ、蛍光体が塗布されない非表示領域Ｂ（領域２１）と、を有し、非表示領域Ａ（領域２０）において、第２電極（バス電極６ｂ）は分断部を有して有効表示領域（３０）から延長され、非表示領域Ｂ（領域２１）の所定の面積に占める第１電極（バス電極５ｂ）および第２電極（バス電極６ｂ）の面積は、有効表示領域（３０）における所定の面積（有効表示領域３０における所定の領域２７）に占める第１電極（バス電極５ｂ）および第２電極（バス電極６ｂ）の面積の６１％以上７７％以下であり、非表示領域Ｂ（領域２１）における所定の面積に占める（領域２１における所定の領域２８）第２電極（バス電極６ｂ）の電極幅は、有効表示領域（３０）における第２電極（バス電極６ｂ）の電極幅の４０％以上７５％以下であることを特徴とする。
【００８０】
これにより、表示画面における領域ごとの反射率の差異により境界部が目立つのを防ぐ。その結果、表示品質の高いＰＤＰを提供することが可能となる。
（２）
（１）に記載のＰＤＰ（２１）であって、分断部は、１００μｍ以下９０μｍ以上であることを特徴とする。
【００８１】
これにより、非表示領域における誤放電を防ぐと共に分断部が明確に視認されるのを防ぐ。その結果、表示品質の高いＰＤＰを提供することが可能となる。
（３）
（１）に記載のＰＤＰ（２１）であって、非表示領域Ｂ（領域１９）における第２電極（バス電極６ｂ）の電極幅は有効表示領域（３０）における第１電極の電極幅の４０％以上７５％以下であり、第１電極間と第２電極間はそれぞれ等間隔に配列されていることを特徴とする。
【００８２】
これにより、有効表示領域と非表示領域との反射率の差が小さくなり、有効表示領域と非表示領域との境界が曖昧となる。同時に、非表示領域において縞状に視認されるのを防ぐ。その結果、表示品質の高いＰＤＰを提供することが可能となる。
（４）
（１）に記載のＰＤＰ（２１）であって、非表示領域Ｂ（領域２１）における第２電極の本数は、有効表示領域（３０）における行方向に配列された第２電極（バス電極６ｂ）の本数の１／２であることを特徴とする。
【００８３】
これにより、高精細なＰＤＰであっても、適切な電極幅を確保した上で有効表示領域と非表示領域との境界を目立ちにくくすることができる。その結果、表示品質の高いＰＤＰを提供することが可能となる。
【産業上の利用可能性】
【００８４】
以上のように本発明は、表示画面が拡大されたＰＤＰにおいて表示品質がより高い有用な発明である。
【符号の説明】
【００８５】
１  前面板
２  背面板
３  放電空間
４  前面基板
５  走査電極
６  維持電極
５ａ、６ａ  透明電極
５ｂ、６ｂ  バス電極
７  表示電極
８  誘電体層
９  保護膜
１０  背面基板
１１  絶縁体層
１２  データ電極
１３  隔壁
１４Ｒ、１４Ｇ、１４Ｂ  蛍光体層
１５  放電セル
１６  第２の透明電極
１７  第１の透明電極
１８  有効表示領域３０に最も近いセル
２１  ＰＤＰ
２２  画像信号処理回路
２３  データ電極駆動回路
２４  維持電極駆動回路
２５  走査電極駆動回路
２６  タイミング発生回路
２７  有効表示領域３０における所定の領域
２８  領域２１における所定の領域
３０  有効表示領域
３１  非表示領域
【図１】
2013152837.tif 000004
【図２】
2013152837.tif 000005
【図３】
2013152837.tif 000006
【図４】
2013152837.tif 000007
【図５】
2013152837.tif 000008
【図６】
2013152837.tif 000009
【図７】
2013152837.tif 000010